(57)【要約】【課題】解錠時の施錠部材の紛失を防止するとともに、いたずらによる部屋への閉じ込めを防止することができる防犯錠を提供すること。【解決手段】開き戸１の戸枠２側に、開き戸１の開き方向に突出する施錠部材保持片３を取り付け、この施錠部材保持片３に施錠部材５を装着し、この施錠部材５を開き戸１に当接させることにより施錠を行う防犯錠において、施錠部材保持片３の取付部４に、室内側に突出して施錠部材５が係着される施錠部材ホルダー６を設ける。【選択図】  図１
2004204467.tif 000002
【特許請求の範囲】
【請求項１】
開き戸の戸枠側に、開き戸の開き方向に突出する施錠部材保持片を取り付け、該施錠部材保持片に施錠部材を装着し、該施錠部材を開き戸に当接させることにより施錠を行う防犯錠において、施錠部材保持片の取付部に、室内側に突出して施錠部材が係着される施錠部材ホルダーを設けたことを特徴とする防犯錠。
【請求項２】
前記施錠部材ホルダーに、施錠部材を施錠状態で係止する施錠用係止部を形成したことを特徴とする請求項１記載の防犯錠。
【請求項３】
施錠部材に施錠部材保持片又は施錠部材ホルダーを挿入するスリット状の穴を形成し、該スリット状の穴の奥に錠機構によって出没可能とされるラッチボールを設けたことを特徴とする請求項１又は２記載の防犯錠。
【発明の詳細な説明】
【０００１】
【発明の属する技術分野】
本発明は、例えば、マンション等の開き戸に後付けの補助錠として使用する防犯錠に関し、特に、解錠時の施錠部材の紛失を防止するとともに、いたずらの施錠による部屋への閉じ込めを防止することができる防犯錠に関するものである。
【０００２】
【従来の技術】
近年、ピッキングによる盗難対策として、マンション等の開き戸に後付けの防犯錠が設置される機会が多くなっている。
この防犯錠としては、例えば、特開平９−１００６６５号公報に示されるように、開き戸の戸枠側に、開き戸の開き方向に突出する施錠部材保持片を取り付け、この施錠部材保持片に施錠部材を装着し、この施錠部材を開き戸に外側から当接させることにより施錠を行う防犯錠が知られている。
【０００３】
【発明が解決しようとする課題】
ところで、上記従来の防犯錠においては、解錠時には施錠部材が施錠部材保持片から取り外されることから、施錠部材を紛失する可能性があるとともに、第三者がいたずらで施錠した場合には、部屋の中からは戸を開くことができず、閉じ込められるという問題が発生する。
【０００４】
本発明は、上記従来の防犯錠が有する問題点に鑑み、解錠時の施錠部材の紛失を防止するとともに、いたずらによる部屋への閉じ込めを防止することができる防犯錠を提供することを目的とする。
【０００５】
【課題を解決するための手段】
上記目的を達成するため、本発明の防犯錠は、開き戸の戸枠側に、開き戸の開き方向に突出する施錠部材保持片を取り付け、該施錠部材保持片に施錠部材を装着し、該施錠部材を開き戸に当接させることにより施錠を行う防犯錠において、施錠部材保持片の取付部に、室内側に突出して施錠部材が係着される施錠部材ホルダーを設けたことを特徴とする。
【０００６】
この防犯錠は、施錠部材保持片の取付部に、室内側に突出して施錠部材が係着される施錠部材ホルダーを設けることから、解錠時に施錠部材をこの施錠部材ホルダーで保持することができ、これにより、解錠時の施錠部材の紛失を防止するとともに、いたずらの施錠による部屋への閉じ込めを防止することができる。
【０００７】
この場合において、前記施錠部材ホルダーに、施錠部材を施錠状態で係止する施錠用係止部を形成することができる。
【０００８】
これにより、施錠部材を施錠状態で施錠部材ホルダーに保持し、いたずらによる施錠部材の取り外しを防止することができる。
【０００９】
また、施錠部材に施錠部材保持片又は施錠部材ホルダーを挿入するスリット状の穴を形成し、該スリット状の穴の奥に錠機構によって出没可能とされるラッチボールを設けることができる。
【００１０】
これにより、ラッチボールが外部に露出せず、このため、不正開錠がされにくい防犯錠とすることができる。
【００１１】
【発明の実施の形態】
以下、本発明の防犯錠の実施の形態を図面に基づいて説明する。
【００１２】
図１〜図４に、本発明の防犯錠の一実施例を示す。
この防犯錠は、開き戸１の戸枠２の一部に、開き戸の開き方向に突出する施錠部材保持片３をクランプホルダー４により取り付けるとともに、この施錠部材保持片３に施錠部材５を装着し、該施錠部材５を開き戸１に外側から当接させることにより施錠を行うように構成されている。
そして、この防犯錠は、施錠部材保持片３の取付部、すなわち、クランプホルダー４に、室内側に突出して施錠部材５が係着される施錠部材ホルダー６を設けている。
【００１３】
施錠部材保持片３には、施錠用係止部としての透孔３１が形成されるとともに、施錠部材ホルダー６には、同様に施錠用係止部としての透孔６１が形成されている。
【００１４】
クランプホルダー４は、ホルダー本体４１に回動可能に枢支したねじボルト４２に把持片４３を螺合させており、これにより、ねじボルト４２を軸方向に出没させることなく把持片４３のみを移動させ、クランプホルダー４を戸枠２に固定することができるようにしている。
【００１５】
一方、施錠部材５は、図１に示すように、直方体状の本体５０に、錠機構として、シリンダ錠５１と、シリンダ錠５１と反対側に形成され、施錠部材保持片３又は施錠部材ホルダー６が挿入されるスリット状の穴５３とを有し、シリンダ錠５１に鍵５２を差し込んで回すことにより、スリット状の穴５３の奥に出没可能に設けられたラッチボール５４を突出状態で固定するように構成されている。
そして、スリット状の穴５３に挿入された施錠部材保持片３や施錠部材ホルダー６の透孔を、このラッチボール５４で係止することにより、これら施錠部材保持片３や施錠部材ホルダー６に施錠できるように構成されている。
【００１６】
クランプホルダー４に設ける施錠部材ホルダー６は、クランプホルダー４に一体に形成することも可能であるが、使用者が施錠部材ホルダー６を不要とする場合に、使用者側で容易に取り外すことができるように、本実施例に示すように、クランプホルダー４にビス７等によって着脱可能に取り付けるようにすることが望ましい。
この場合、クランプホルダー４には、ビス７が螺合するねじ孔４４を、施錠部材ホルダー６にはビス７を挿通する透孔６２を、それぞれ形成するようにする。
【００１７】
このように、施錠部材５に施錠部材保持片３又は施錠部材ホルダー６が挿入されるスリット状の穴５３を形成し、スリット状の穴５３の奥に出没可能に設けられたラッチボール５４を突出状態で固定するようにしているので、ラッチボール５４が外部に露出せず、このため、不正開錠がされにくいという利点がある。
【００１８】
かくして、本実施例の防犯錠は、施錠部材保持片３の取付部に、室内側に突出して施錠部材５が係着される施錠部材ホルダー６を設けることから、図２〜図３に示すように、解錠時に施錠部材５をこの施錠部材ホルダー６で保持することができ、これにより、解錠時の施錠部材５の紛失を防止するとともに、いたずらの施錠による部屋への閉じ込めを防止することができる。
また、本実施例では、施錠部材ホルダー６の透孔６１を利用して、係着した施錠部材５を施錠状態で保持することができ、これにより、いたずらによる施錠部材５の取り外しを防止することができる。
【００１９】
以上、本発明の防犯錠について、その実施例に基づいて説明したが、本発明は上記実施例に記載した構成に限定されるものではなく、施錠部材５の錠機構として、シリンダ錠５１以外の他の形式の錠機構を使用したり、施錠部材保持片３をクランプホルダー４以外の固定手段、例えば、ねじ、釘等によって戸枠２側に固定するようにする等、その趣旨を逸脱しない範囲において適宜その構成を変更することができる。
【００２０】
【発明の効果】
本発明の防犯錠によれば、施錠部材保持片の取付部に、室内側に突出して施錠部材が係着される施錠部材ホルダーを設けることから、解錠時に施錠部材をこの施錠部材ホルダーで保持することができ、これにより、解錠時の施錠部材の紛失を防止するとともに、いたずらの施錠による部屋への閉じ込めを防止することができる。
【００２１】
また、施錠部材ホルダーに、施錠部材を施錠状態で係止する施錠用係止部を形成することにより、施錠部材を施錠状態で施錠部材ホルダーに保持し、いたずらによる施錠部材の取り外しを防止することができる。
【００２２】
また、施錠部材に施錠部材保持片又は施錠部材ホルダーを挿入するスリット状の穴を形成し、該スリット状の穴の奥に錠機構によって出没可能とされるラッチボールを設けることにより、ラッチボールが外部に露出せず、このため、不正開錠がされにくい防犯錠とすることができる。
【図面の簡単な説明】
【図１】本発明の防犯錠の一実施例を示す分解斜視図である。
【図２】同防犯錠の取付状態を示す平面図である。
【図３】同防犯錠を示し、（ａ）は施錠部材を省略した正面図、（ｂ）は同平面図、（ｃ）は施錠部材を施錠部材ホルダーに係着した状態を示す平面図である。
【図４】同防犯錠を示し、（ａ）はクランプホルダーの正面図、（ｂ）〜（ｃ）は施錠部材ホルダーの３面図である。
【符号の説明】
１    開き戸
２    戸枠
３    施錠部材保持片
３１  透孔
４    クランプホルダー（取付部）
４１  ホルダー本体
４２  ねじボルト
４３  把持片
５    施錠部材
５０  本体
５１  シリンダ錠（錠機構）
５２  鍵
５３  スリット状の穴
５４  ラッチボール
６    施錠部材ホルダー
６１  透孔
７    ビス
【図１】
2004204467.tif 000003
【図２】
2004204467.tif 000004
【図３】
2004204467.tif 000005
【図４】
2004204467.tif 000006